(57)【要約】      （修正有）【課題】バッジ本体と、これを衣類に取り付けるためのピンなどの部材を分離可能としたバッジを提供する。【解決手段】バッジ本体２及びバッジ本体２を取り付けるための保持具１０からなり、バッジ本体２の裏面には、保持具１０の所定の位置にバッジ本体２を位置決めするための位置決め用突起３ａ，３ｂと、バッジ本体２を保持具１０に固定するための固定機構４とが設けられている。保持具１０には、外周部の一部が位置決め用突起３ｂと係合する抜き穴１２が設けられている。これにより、大きな突起などをバッジ本体２に設ける必要がないことから、バッジ本体２の加工を比較的簡単に行うことが可能となるばかりでなく、多数のバッジ本体２を連結して着用する場合であっても、これら多数のバッジ本体２を一体的且つ確実に固定することが可能となる。【選択図】図１
0003112644.tif 000002
【実用新案登録請求の範囲】
【請求項１】
同一形状のバッジ本体を複数個取り付けるための保持具であって、
前記バッジ本体をそれぞれ位置決めするための複数の係合部が規則的に設けられた板状部材と、
前記板状部材の端部に設けられ、衣類を刺衝可能な少なくとも２つのピンと、
前記ピンにそれぞれ嵌合する留め具とを備え、
前記板状部材の幅は、前記バッジ本体の主面の幅のほぼ整数倍であり、前記板状部材の高さは、前記バッジ本体の前記主面の高さのほぼ整数倍であることを特徴とする保持具。
【請求項２】
前記板状部材は、前記ピンが設けられている側が凹面となるよう湾曲していることを特徴とする請求項１に記載の保持具。
【請求項３】
前記係合部は、前記板状部材に設けられた穴であることを特徴とする請求項１又は２に記載の保持具。
【請求項４】
前記穴の幅は前記バッジ本体の前記幅の半分以上の幅を有しており、前記穴の高さは前記バッジ本体の前記高さの半分以上の高さを有していることを特徴とする請求項３に記載の保持具。
【請求項５】
前記穴の面積は、前記バッジ本体の前記主面の面積の半分以下の面積であることを特徴とする請求項３又は４に記載の保持具。
【請求項６】
前記板状部材には、ｎ個（ｎは２以上の整数）の前記係合部が幅方向に設けられた第１の領域と、ｎ個未満の前記係合部が前記幅方向に設けられた第２の領域とを含んでおり、
前記ピンは、前記第１の領域と前記第２の領域との間の領域であって、前記板状部材の前記幅方向における両端部にそれぞれ配置されていることを特徴とする請求項１乃至５のいずれか１項に記載の保持具。
【請求項７】
請求項１乃至６のいずれか１項に記載の保持具と、前記複数の係合部にそれぞれ位置決め固定された前記複数のバッジ本体とを備えることを特徴とするバッジ。
【請求項８】
バッジ本体及び前記バッジ本体を取り付けるための保持具からなるバッジであって、
前記バッジ本体の裏面には、前記保持具の所定の位置に前記バッジ本体を位置決めするための位置決め機構と、前記バッジ本体を前記保持具に固定するための固定機構とが設けられ、
前記保持具には、外周部の少なくとも一部が前記位置決め機構と係合する抜き穴が設けられていることを特徴とするバッジ。
【請求項９】
前記固定機構は、前記抜き穴を介して前記保持具を挟み込むことにより、前記バッジ本体を前記保持具に固定可能に構成されていることを特徴とする請求項８に記載のバッジ。
【考案の詳細な説明】
【技術分野】
【０００１】
本考案は、バッジ本体を取り付けるための保持具及びこれを用いたバッジに関し、特に、表彰歴章を取り付けるのに好適な保持具及びこれを用いたバッジに関する。
【背景技術】
【０００２】
衣類に取り付けるバッジとしては、自己の所属や資格、地位、身分などを表示する為のものの他、単に趣味的・ファッション的な用途のものなど、多種多様なものが存在する。また、その形状も様々であり、円形、四角形、星形など、様々な形状のバッジが存在する。
【０００３】
これらバッジの中には、いわゆる「表彰歴章」と呼ばれるものが存在する。表彰歴章とは、企業や団体などから与えられた賞、例えば、皆勤賞、功労賞、社長賞、知事賞などの受賞歴を表示するバッジである。これらの賞は、同一人が複数受賞することがあるため、この場合、複数の異なる表彰歴章が授与されることになる。
【０００４】
表彰歴章は、所属や地位などを表示するバッジとは異なり、表彰の受賞歴を表示するものであるため、通常時には着用されず、当該企業や団体の公式行事などに出席する際に着用されることが通例である。しかしながら、上述のとおり、これらの賞は同一人が複数受賞することがあるため、この場合には、制服などの衣服に複数の表彰歴章を着用することになる。したがって、受賞歴の多い人、例えば、過去に１０種類の賞を受賞した人は、１０個の表彰歴章を着用する必要があるため、着用の手間が煩雑となるばかりでなく、見栄えも決して好ましいものとは言えない場合があった。
【０００５】
複数のバッジを着用する方法としては、特許文献１に記載された方法が知られている。特許文献１に記載された方法は、バッジの裏面に複数の係止突起を設け、この係止突起同士を連結することによって、複数のバッジを連結可能に構成とするものである。
【特許文献１】実用新案登録第３０４３９９６号公報
【考案の開示】
【考案が解決しようとする課題】
【０００６】
しかしながら、特許文献１に記載された方法では、連結するのに十分な高さを持った係止突起をバッジ本体に設ける必要があることから、バッジ本体の加工が複雑化するだけでなく、連結せずに着用する場合には、この係止突起が着用の邪魔になるという問題があった。また、小型の連結片のみを用いて連結を行っていることから、バッジ同士を一体的に固定することができず、連結部分においてガタつきなどが生じてしまう。このため、多数のバッジを連結すると、全体的に不安定な状態となるおそれもあった。
【０００７】
他方、表彰歴章などのバッジ本体は、胸バッジとして使用するのみならず、例えば、ネクタイピンとして着用したいという要望も想定される。しかしながら、特許文献１に記載されたバッジのように、バッジ本体とこれを衣類に取り付けるためのピンとが一体化されていると、胸バッジ以外の用途に転用することは困難となる。このような問題は、胸バッジとして専用にデザインされたバッジであれば大きな問題とはならないが、表彰歴章のように様々な着用方法が想定される場合には、胸バッジ以外の用途への転用を妨げる原因となるため、使用者に不便が生じるおそれがあった。
【０００８】
本考案はこのような問題点を解決すべくなされたものであって、本考案の目的は、同一形状のバッジを複数個取り付けるための保持具及びこれを用いたバッジを提供することである。
【０００９】
また、本考案の他の目的は、バッジ本体と、これを衣類に取り付けるためのピンなどの部材を分離可能としたバッジを提供することである。
【課題を解決するための手段】
【００１０】
本考案による保持具は、同一形状のバッジ本体を複数個取り付けるための保持具であって、それぞれ前記バッジ本体を位置決めするための複数の係合部が規則的に設けられた板状部材と、前記板状部材の端部に設けられ、衣服を刺衝可能な少なくとも２つのピンと、前記ピンにそれぞれ嵌合する留め具とを備え、前記板状部材の幅は、前記バッジ本体の主面の幅のほぼ整数倍であり、前記板状部材の高さは、前記バッジ本体の前記主面の高さのほぼ整数倍であることを特徴とする。また、本考案によるバッジは、このような保持具と、複数の係合部にそれぞれ位置決め固定された複数のバッジ本体とを備えることを特徴とする。
【００１１】
さらに、本考案によるバッジは、バッジ本体及び前記バッジ本体を取り付けるための保持具からなるバッジであって、前記バッジ本体の裏面には、前記保持具の所定の位置に前記バッジ本体を位置決めするための位置決め機構と、前記バッジ本体を前記保持具に固定するための固定機構とが設けられ、前記保持具には、外周部の少なくとも一部が前記位置決め機構と係合する抜き穴が設けられていることを特徴とする。
【考案の効果】
【００１２】
本考案によれば、大きな突起などをバッジ本体に設ける必要がないことから、バッジ本体の加工を比較的簡単に行うことが可能となるばかりでなく、多数のバッジ本体を連結して着用する場合であっても、これら多数のバッジ本体を一体的且つ確実に固定することが可能となる。また、保持具に対してバッジ本体を位置決めすることができることから、保持具の正しい位置にバッジ本体を固定することが可能となる。さらに、バッジ本体と保持具とを分離することが可能であることから、胸バッジとしての使用のみならず、ネクタイピンとしての使用など、他の用途に転用することも可能となる。
【００１３】
したがって、本考案は、バッジ本体を表彰歴章として用いる場合において特に効果的である。
【考案を実施するための最良の形態】
【００１４】
以下、添付図面を参照しながら、本考案の好ましい実施の形態について詳細に説明する。
【００１５】
図１は、本考案の好ましい第１の実施形態によるバッジの構造を示す図であり、（ａ）はバッジ本体２を保持具１０に取り付けた状態を示す略斜視図、（ｂ）はバッジ本体２を保持具１０から取り外した状態を示す略斜視図である。
【００１６】
図１に示すように、本実施形態によるバッジは、バッジ本体２及び保持具１０によって構成され、互いに着脱可能に構成されている。バッジ本体２の形状は例えば板状であり、その主面２ａが視認面となる。主面２ａには所定のデザインが施されるが、主面２ａのデザインは本考案において重要ではなく、このため、図１（ａ），（ｂ）は、いずれも裏面２ｂ方向からみた状態を示している。
【００１７】
バッジ本体２の裏面２ｂには、位置決め機構として機能する２つの位置決め用突起３ａ，３ｂと、これら位置決め用突起３ａ，３ｂの中間部分に配置された固定機構４が設けられている。図１に示すように、位置決め用突起３ａ，３ｂは、いずれも円弧状の突起であり、円弧の凸面が外側を向くように配置されている。円弧の形成角としては、半円（１８０°）程度であることが好ましい。これは、後述するように、円弧の形成角が小さすぎると正確な位置決めが困難となるからであり、逆に、半円を越える形成角は不必要だからである。位置決め用突起３ａ，３ｂの突起量（ｚ方向）については特に限定されるものではないが、保持具１０の厚みと同程度に設定すればよい。
【００１８】
固定機構４は、バッジ本体２の裏面２ｂの略中央に配置されたボルト４ａと、ボルト４ａに対して螺着可能な円板状のナット４ｂによって構成される。ボルト４ａの径は保持具１０に設けられた抜き穴１２の高さ（ｙ方向）よりも小さい必要があり、ボルト４ａの突起量（ｚ方向）については、保持具１０の厚みよりも大きい必要がある。また、ナット４ｂの径は、保持具１０に設けられた抜き穴１２の高さ（ｙ方向）よりも大きい必要がある。特に限定されるものではないが、ナット４ｂの周囲には、回転に対して摩擦を与えるための凹凸パターン４ｃが設けられていることが好ましい。
【００１９】
一方、保持具１０は、幅（ｘ方向）及び高さ（ｙ方向）がバッジ本体２の主面２ａの幅（ｘ方向）及び高さ（ｙ方向）とほぼ等しい板状部材１１と、板状部材１１の端部に設けられた２つのピン１３ａ，１３ｂと、ピン１３ａ，１３ｂにそれぞれ嵌合する留め具１４ａ，１４ｂによって構成される。板状部材１１には、係合部として機能する抜き穴１２が設けられており、抜き穴１２の外周部がバッジ本体２の位置決め用突起３ａ，３ｂと係合することによって、バッジ本体２と保持具１０とが正しく位置決めされる。
【００２０】
より具体的には、抜き穴１２の外周部は、幅方向（ｘ方向）に伸びる平行な２つの直線部分１２ａ，１２ｂと、これら直線部分１２ａ，１２ｂの両端をそれぞれ繋ぐ円弧部分１２ｃ，１２ｄによって構成されており、この円弧部分１２ｃ，１２ｄと、バッジ本体２の位置決め用突起３ａ，３ｂとが係合することにより位置決めがされる。したがって、円弧部分１２ｃと円弧部分１２ｄとの距離は、位置決め用突起３ａと位置決め用突起３ｂとの距離にほぼ等しいか、或いはやや大きめに設定されており、円弧部分１２ｃ，１２ｄの径は、位置決め用突起３ａ，３ｂの径（外径）とほぼ等しいか、或いはやや大きめに設定されている。
【００２１】
バッジ本体２と保持具１０とを重ね合わせると、図１（ａ）に示すように、２つの位置決め用突起３ａ，３ｂが抜き穴１２にぴったりと嵌り、これにより、バッジ本体２が正しく位置決めされることになる。しかも、係合する形状が円弧形であることから、幅方向（ｘ方向）に対しても、高さ方向（ｙ方向）に対しても、正しく位置決めすることが可能となる。ここで、高さ方向（ｙ方向）に対する位置決めは、円弧状である位置決め用突起３ａ，３ｂの形成角が大きいほどより正確となり、半円（１８０°）程度であれば非常に正確に位置決めすることが可能となる。但し、半円を越える形成角は、位置決め精度の向上には寄与しない。
【００２２】
バッジ本体２を保持具１０に取り付ける場合、ナット４ｂをボルト４ａから取り外した状態でバッジ本体２と保持具１０とを位置決めしながら重ね合わせ、この状態で、ナット４ｂをボルト４ａにネジ止めすればよい。これにより、抜き穴１２を介して板状部材１１が挟み込まれることから、バッジ本体２は保持具１０に対して確実に固定される。バッジ本体２の取り外しは、この逆の手順で行えばよい。上述のとおり、ナット４ｂの周囲に凹凸パターン４ｃを設けておけば、ナット４ｂの装着及び取り外しを容易に行うことが可能となる。
【００２３】
ここで、抜き穴１２の幅（ｘ方向）は、バッジ本体２の幅（ｘ方向）の半分以上の幅となるよう、設計することが好ましい。例えば、バッジ本体２の幅（ｘ方向）が３０ｍｍであれば、抜き穴１２の幅（ｘ方向）を２２ｍｍ程度に設計することが好ましい。同様に、抜き穴１２の高さ（ｙ方向）についても、バッジ本体２の高さ（ｙ方向）の半分以上の高さとなるよう、設計することが好ましい。例えば、バッジ本体２の高さ（ｙ方向）が１０ｍｍであれば、抜き穴１２の高さ（ｙ方向）を５．５ｍｍ程度に設計することが好ましい。これは、抜き穴１２のサイズが小さすぎると、高精度な位置決めが困難となるばかりでなく、板状部材１１の重量が増す結果、バッジ全体が重くなってしまうからである。一方、抜き穴１２のサイズを大きくしすぎると、板状部材１１の強度が不足することから、抜き穴１２の面積は、バッジ本体２の主面２ａの面積の半分以下に抑えることが好ましい。
【００２４】
このような構造を有するバッジを衣服に着用する場合、ピン１３ａ，１３ｂによって衣服を刺衝し、衣服の裏側から留め具１４ａ，１４ｂをピン１３ａ，１３ｂに嵌め込めばよい。ここで、板状部材１１は、ピン１３ａ，１３ｂが設けられている側が凹面となるよう、やや湾曲している。これは、ピン１３ａ，１３ｂが設けられている面は、衣服の胸部分などに着用する際、人体側となる面だからであり、僅かに湾曲させることによって曲面を持った人体に対して密着性を高めることが可能となる。特に限定されるものではないが、板状部材１１の湾曲に合わせてバッジ本体２の裏面２ｂも湾曲させることが好ましい。
【００２５】
このように、本実施形態によるバッジは、位置決め用突起３ａ，３ｂを有するバッジ本体２と、これら位置決め用突起３ａ，３ｂと係合する抜き穴１２を持った保持具１０によって構成されていることから、保持具１０に対してバッジ本体２を正しく位置決めすることが可能となる。また、バッジ本体２と保持具１０とを分離することが可能であることから、バッジ本体２に大きな突起などを設ける必要がなく、このため、バッジ本体２の加工を比較的簡単に行うことが可能となるばかりでなく、胸バッジとしての使用のみならず、ネクタイピンとしての使用など、他の用途への転用も比較的容易となる。
【００２６】
次に、本考案の好ましい第２の実施の形態について詳細に説明する。
【００２７】
図２は、本考案の好ましい第２の実施形態によるバッジの構造を示す図であり、（ａ）はバッジ本体２を保持具２０に取り付けた状態を示す略斜視図、（ｂ）はバッジ本体２を保持具２０から取り外した状態を示す略斜視図である。
【００２８】
図２に示すように、本実施形態によるバッジは、２つのバッジ本体２を一つの保持具２０に取り付けている点において上記実施形態によるバッジと異なる。また、保持具２０は、２つのバッジ本体２を取り付けるため、係合部として機能する抜き穴２２が２つ設けられている。その他の点は、上記実施形態と同様であることから、重複する説明は省略する。
【００２９】
本実施形態では、保持具２０を構成する板状部材２１の幅（ｘ方向）は、バッジ本体２の主面２ａの幅（ｘ方向）の約２倍であり、高さ（ｙ方向）はバッジ本体２の主面２ａの高さ（ｙ方向）とほぼ等しい。このため、図３に示すように、バッジ本体２の主面２ａ側からは保持具２０は実質的に視認できず、２つのバッジ本体２が幅方向（ｘ方向）に並んだ状態に見える。
【００３０】
このように、本実施形態によれば、２つのバッジ本体２をこれらとほぼ同じ面積を持つ保持具２０に固定していることから、これらバッジ本体２を確実に固定することが可能となる。
【００３１】
尚、一つの保持具に取り付け可能なバッジ本体２の数としては、第１及び第２の実施形態のように１個又は２個に限定されず、３個以上とすることも可能である。この場合、保持具を構成する板状部材の幅（ｘ方向）をバッジ本体２の主面の幅（ｘ方向）のほぼ整数倍とするとともに、板状部材の高さ（ｙ方向）をバッジ本体２の主面の高さ（ｙ方向）のほぼ整数倍に設定し、さらに、当該板状部材に係合部である抜き穴を規則的に配置すればよい。
【００３２】
図４乃至図１３は、取り付け可能なバッジ本体の数を３個乃至１２個とした保持具の構造をそれぞれ示す略斜視図である。
【００３３】
図４に示すように、一つの保持具に取り付け可能なバッジ本体２の数を３個とする場合には、板状部材３１に３個の抜き穴３２を設け、板状部材３１の幅（ｘ方向）をバッジ本体２の幅（ｘ方向）の約３倍とし、高さ（ｙ方向）をバッジ本体２の高さ（ｙ方向）とほぼ等しく設定すればよい。
【００３４】
また、図５に示すように、一つの保持具に取り付け可能なバッジ本体２の数を４個とする場合には、板状部材４１に４個の抜き穴４２を設け、板状部材４１の幅（ｘ方向）をバッジ本体２の幅（ｘ方向）の約３倍とし、高さ（ｙ方向）をバッジ本体２の高さ（ｙ方向）の約２倍とすればよい。そして、３個の抜き穴４２が幅方向（ｘ方向）に設けられた領域Ａと、１個の抜き穴４２が幅方向（ｘ方向）に設けられた領域Ｂとの間の領域Ｃであって、板状部材４１の幅方向（ｘ方向）における両端部に、ピン４３ａ，４３ｂをそれぞれ配置すればよい。領域Ｃにピン４３ａ，４３ｂを配置すれば、その他の領域、例えば、図５に示す領域Ｄにピン４３ａ，４３ｂを配置した場合と比べて、着用時の安定性を高めることが可能となる。
【００３５】
同様に、図６及び図７に示すように、一つの保持具に取り付け可能なバッジ本体２の数を５個又は６個とする場合には、板状部材５１，６１に５個又は６個の抜き穴５２，６２を設け、板状部材５１，６１の幅（ｘ方向）をバッジ本体２の幅（ｘ方向）の約３倍とし、高さ（ｙ方向）をバッジ本体２の高さ（ｙ方向）の約２倍とすればよい。ピン５３ａ，５３ｂ又はピン６３ａ，６３ｂについては、図５と同じ位置に配置すればよい。
【００３６】
また、図８に示すように、一つの保持具に取り付け可能なバッジ本体２の数を７個とする場合には、板状部材７１に７個の抜き穴７２を設け、板状部材７１の幅（ｘ方向）をバッジ本体２の幅（ｘ方向）の約３倍とし、高さ（ｙ方向）をバッジ本体２の高さ（ｙ方向）の約３倍とすればよい。そして、図５に示す例と同様、３個の抜き穴７２が幅方向（ｘ方向）に設けられた領域Ａと、１個の抜き穴７２が幅方向（ｘ方向）に設けられた領域Ｂとの間の領域Ｃであって、板状部材７１の幅方向（ｘ方向）における両端部に、ピン７３ａ，７３ｂをそれぞれ配置すればよい。ここで、図８に示す領域Ｅではなく、領域Ｃにピン７３ａ，７３ｂを配置しているのは、次の理由による。つまり、種類の異なる複数のバッジ本体２を一つの保持具に取り付ける場合、最も権威の高いバッジ本体が上方となるよう着用するのが通例である。図８に示す保持具であれば、領域Ｂに相当する位置に最も権威の高いバッジ本体を配置し、これが上方となるよう着用されるものと考えられる。したがって、領域Ｅにピン７３ａ，７３ｂを配置してしまうと、権威の高いバッジ本体が上方となるよう着用した場合に衣服への取り付けが不安定となってしまう。この点を考慮して、領域Ｃにピン７３ａ，７３ｂを配置しているのである。
【００３７】
同様に、図９及び図１０に示すように、一つの保持具に取り付け可能なバッジ本体２の数を８個又は９個とする場合には、板状部材８１，９１に８個又は９個の抜き穴８２，９２を設け、板状部材８１，９１の幅（ｘ方向）をバッジ本体２の幅（ｘ方向）の約３倍とし、高さ（ｙ方向）をバッジ本体２の高さ（ｙ方向）の約３倍とすればよい。ピン８３ａ，８３ｂ又はピン９３ａ，９３ｂについては、図８と同じ位置に配置すればよい。
【００３８】
また、図１１に示すように、一つの保持具に取り付け可能なバッジ本体２の数を１０個とする場合には、板状部材１０１に１０個の抜き穴１０２を設け、板状部材１０１の幅（ｘ方向）をバッジ本体２の幅（ｘ方向）の約３倍とし、高さ（ｙ方向）をバッジ本体２の高さ（ｙ方向）の約４倍とすればよい。そして、３個の抜き穴１０２が幅方向（ｘ方向）に設けられた領域Ａと、１個の抜き穴１０２が幅方向（ｘ方向）に設けられた領域Ｂとの間の領域Ｃであって、板状部材１０１の幅方向（ｘ方向）における両端部に、ピン１０３ａ，１０３ｂをそれぞれ配置すればよい。但し、本例では、板状部材１０１の高さ（ｙ方向）がかなり大きくなっている（バッジ本体２の４倍）ことから、衣類への装着安定性を高めるため、高さ方向（ｙ方向）における下端であって、幅方向（ｘ方向）における端部とは異なる領域Ｆにもう一つのピン１０３ｃを配置している。
【００３９】
同様に、図１２及び図１３に示すように、一つの保持具に取り付け可能なバッジ本体２の数を１１個又は１２個とする場合には、板状部材１１１，１２１に１１個又は１２個の抜き穴１１２，１２２を設け、板状部材１１１，１２１の幅（ｘ方向）をバッジ本体２の幅（ｘ方向）の約３倍とし、高さ（ｙ方向）をバッジ本体２の高さ（ｙ方向）の約４倍とすればよい。ピン１１３ａ，１１３ｂ，１１３ｃ又はピン１２３ａ，１２３ｂ，１２３ｃについては、図１１と同じ位置に配置すればよい。
【００４０】
これ以上は図示しないが、取り付け可能なバッジ本体の数を１３個以上とする場合も、上記に沿って板状部材の形状及びピンの配置を決定すればよい。
【００４１】
以上、本考案の好ましいいくつかの実施形態について説明したが、本考案は、上記の実施形態に限定されることなく、本考案の主旨を逸脱しない範囲で種々の変更が可能であり、それらも本考案の範囲内に包含されるものであることはいうまでもない。
【００４２】
例えば、バッジ本体を保持具に位置決めするための係合部としては、上記実施形態のように抜き穴に限定されるものではなく、板状部材に設けられた凹凸パターンなどを係合部として用いることも可能である。但し、上記実施形態のように抜き穴を係合部として用いれば、板状部材の加工が最も簡単となる。
【００４３】
また、抜き穴の形状も、上記実施形態のように両側が円弧形である形状に限定されず、例えば、長方形であっても構わない。但し、上記実施形態のように、抜き穴の両側を円弧形とすれば、幅方向（ｘ方向）及び高さ方向（ｙ方向）への位置決めをより確実とすることが可能となる。さらに、抜き穴の数についても、取り付けるべきバッジ本体ごとに１つである必要はなく、１つのバッジ本体に対して２個の抜き穴を割り当てても構わない。例えば、バッジ本体に設けられた２つの位置決め用突起それぞれに対し、抜き穴を割り当てても構わない。
【００４４】
また、バッジ本体に設ける位置決め機構としては、上記実施形態のように位置決め用突起に限定されるものではなく、例えば、バッジ本体に凹部を設け、板状部材に設けられた突起と係合させることにより、位置決めする構成としても構わない。さらに、位置決め機構の数についても２個に限定されるものではない。
【図面の簡単な説明】
【００４５】
【図１】本考案の好ましい第１の実施形態によるバッジの構造を示す図であり、（ａ）はバッジ本体２を保持具１０に取り付けた状態を示す略斜視図、（ｂ）はバッジ本体２を保持具１０から取り外した状態を示す略斜視図である。
【図２】本考案の好ましい第２の実施形態によるバッジの構造を示す図であり、（ａ）はバッジ本体２を保持具２０に取り付けた状態を示す略斜視図、（ｂ）はバッジ本体２を保持具２０から取り外した状態を示す略斜視図である。
【図３】本考案の好ましい第２の実施形態によるバッジを主面側からみた略斜視図である。
【図４】取り付け可能なバッジ本体の数が３個である保持具の構造を示す略斜視図である。
【図５】取り付け可能なバッジ本体の数が４個である保持具の構造を示す略斜視図である。
【図６】取り付け可能なバッジ本体の数が５個である保持具の構造を示す略斜視図である。
【図７】取り付け可能なバッジ本体の数が６個である保持具の構造を示す略斜視図である。
【図８】取り付け可能なバッジ本体の数が７個である保持具の構造を示す略斜視図である。
【図９】取り付け可能なバッジ本体の数が８個である保持具の構造を示す略斜視図である。
【図１０】取り付け可能なバッジ本体の数が９個である保持具の構造を示す略斜視図である。
【図１１】取り付け可能なバッジ本体の数が１０個である保持具の構造を示す略斜視図である。
【図１２】取り付け可能なバッジ本体の数が１１個である保持具の構造を示す略斜視図である。
【図１３】取り付け可能なバッジ本体の数が１２個である保持具の構造を示す略斜視図である。
【符号の説明】
【００４６】
２        バッジ本体
２ａ      バッジ本体の主面
２ｂ      バッジ本体の裏面
３ａ，３ｂ    位置決め用突起
４        固定機構
４ａ      ボルト
４ｂ      ナット
４ｃ      凹凸パターン
１０，２０    保持具
１１，２１，３１，４１，５１，６１，７１，８１，９１，１０１，１１１，１２１    板状部材
１２，２２，３２，４２，５２，６２，７２，８２，９２，１０２，１１２，１２２    抜き穴
１２ａ，１２ｂ    抜き穴の直線部分
１２ｃ，１２ｄ    抜き穴の円弧部分
１３ａ，１３ｂ，２３ａ，２３ｂ，３３ａ，３３ｂ，４３ａ，４３ｂ，５３ａ，５３ｂ，６３ａ，６３ｂ，７３ａ，７３ｂ，８３ａ，８３ｂ，９３ａ，９３ｂ，１０３ａ，１０３ｂ，１０３ｃ，１１３ａ，１１３ｂ，１１３ｃ，１２３ａ，１２３ｂ，１２３ｃ    ピン
１４ａ，１４ｂ，２４ａ，２４ｂ，３４ａ，３４ｂ，４４ａ，４４ｂ，５４ａ，５４ｂ，６４ａ，６４ｂ，７４ａ，７４ｂ，８４ａ，８４ｂ，９４ａ，９４ｂ，１０４ａ，１０４ｂ，１０４ｃ，１１４ａ，１１４ｂ，１１４ｃ，１２４ａ，１２４ｂ，１２４ｃ    留め具
【図１】
0003112644.tif 000003
【図２】
0003112644.tif 000004
【図３】
0003112644.tif 000005
【図４】
0003112644.tif 000006
【図５】
0003112644.tif 000007
【図６】
0003112644.tif 000008
【図７】
0003112644.tif 000009
【図８】
0003112644.tif 000010
【図９】
0003112644.tif 000011
【図１０】
0003112644.tif 000012
【図１１】
0003112644.tif 000013
【図１２】
0003112644.tif 000014
【図１３】
0003112644.tif 000015
【手続補正書】
【提出日】平成17年5月19日(2005.5.19)
【手続補正１】
【補正対象書類名】実用新案登録請求の範囲
【補正対象項目名】全文
【補正方法】変更
【補正の内容】
【実用新案登録請求の範囲】
【請求項１】
同一形状のバッジ本体を複数個取り付けるための保持具であって、
前記バッジ本体をそれぞれ位置決めするための複数の係合部が規則的に設けられた板状部材と、
前記板状部材の端部に設けられ、衣類を刺衝可能な少なくとも２つのピンと、
前記ピンにそれぞれ嵌合する留め具とを備え、
前記板状部材の幅は、前記バッジ本体の主面の幅のほぼ整数倍であり、前記板状部材の高さは、前記バッジ本体の前記主面の高さのほぼ整数倍であることを特徴とする保持具。
【請求項２】
前記板状部材は、前記ピンが設けられている側が凹面となるよう湾曲していることを特徴とする請求項１に記載の保持具。
【請求項３】
前記係合部は、前記板状部材に設けられた穴であることを特徴とする請求項１又は２に記載の保持具。
【請求項４】
前記穴の幅は前記バッジ本体の前記幅の半分以上の幅を有しており、前記穴の高さは前記バッジ本体の前記高さの半分以上の高さを有していることを特徴とする請求項３に記載の保持具。
【請求項５】
前記穴の面積は、前記バッジ本体の前記主面の面積の半分以下の面積であることを特徴とする請求項３又は４に記載の保持具。
【請求項６】
前記板状部材には、ｎ個（ｎは２以上の整数）の前記係合部が幅方向に設けられた第１の領域と、ｎ個未満の前記係合部が前記幅方向に設けられた第２の領域とを含んでおり、
前記ピンは、前記第１の領域と前記第２の領域との間の領域であって、前記板状部材の前記幅方向における両端部にそれぞれ配置されていることを特徴とする請求項１乃至５のいずれか１項に記載の保持具。
【請求項７】
請求項１乃至６のいずれか１項に記載の保持具と、前記複数の係合部にそれぞれ位置決め固定された前記複数のバッジ本体とを備えることを特徴とするバッジ。